(57)【要約】【課題】発光素子の劣化による色ずれを抑制する。【解決手段】発光量算出部３０２、危険度算出部３０３、危険度更新部３０４によって、映像信号に基づく各色の副画素毎の発光量と副画素毎の劣化特性から、表示画面全体を分割した領域毎の劣化危険度が算出されて、算出された劣化危険度を累積することで累積劣化危険度が算出される。ゲイン算出部３０７は、領域毎の累積劣化危険度と画素毎の輝度に基づき補正ゲインを画素毎に算出する。乗算器３９０は、補正ゲインを用いて映像信号の信号レベルを補正する。このように、各色の副画素の発光量に基づく累積劣化危険度に応じて補正ゲインが算出されるため、発光素子の劣化による色ずれを効果的に抑制できる。【選択図】        図２
2015219307.tif 000002
【特許請求の範囲】
【請求項１】
映像信号に基づく各色の副画素毎の発光量と前記副画素毎の劣化特性から、表示画面を分割した領域毎の劣化危険度を算出し、算出した前記劣化危険度を累積することで累積劣化危険度を算出する累積劣化危険度算出部と、
前記領域毎の累積劣化危険度と画素毎の輝度に基づき補正ゲインを画素毎に算出するゲイン算出部と、
前記補正ゲインを用いて前記映像信号の信号レベルを補正する補正部と
を備える映像信号処理装置。
【請求項２】
前記累積劣化危険度算出部は、画素毎の副画素間の発光量差に基づいて前記劣化危険度を算出する
とする請求項１記載の映像信号処理装置。
【請求項３】
前記累積劣化危険度算出部は、前記領域内における副画素間の発光量差の最大値を用いて前記領域毎に前記劣化危険度を算出する
請求項２記載の映像信号処理装置。
【請求項４】
前記ゲイン算出部は、前記領域毎に算出した累積劣化危険度の最大値を用いて前記補正ゲインを算出する
請求項３記載の映像信号処理装置。
【請求項５】
前記累積劣化危険度算出部は、劣化危険度算出対象画素と隣接する画素の副画素の色毎の発光量差に基づいて前記劣化危険度を算出する
とする請求項１記載の映像信号処理装置。
【請求項６】
前記累積劣化危険度算出部は、前記領域内における副画素間の発光量差の合計の最大値を用いて前記領域毎に前記劣化危険度を算出する
請求項５記載の映像信号処理装置。
【請求項７】
前記累積劣化危険度算出部は、色毎の劣化特性に応じて前記副画素毎の発光量の重み付けを行い、劣化が速い色の重み付けを大きくする
請求項１記載の映像信号処理装置。
【請求項８】
前記累積劣化危険度算出部は、劣化危険度を累積する際に時間方向の安定化を行う
請求項１記載の映像信号処理装置。
【請求項９】
前記累積劣化危険度算出部は、前記映像信号のフレーム単位で前記劣化危険度を累積する
請求項１記載の映像信号処理装置。
【請求項１０】
前記累積劣化危険度に基づき、表示画面全体における発光量に対する発光低減量を示す特徴量を算出する特徴量算出部をさらに備え、
前記ゲイン算出部は、前記表示画面全体における発光量に対する発光低減量と画素毎の輝度に基づき補正ゲインを画素毎に算出する
請求項１記載の映像信号処理装置。
【請求項１１】
前記特徴量算出部は、前記累積劣化危険度から許容可能な劣化危険度を減算して補正対象劣化危険度を算出して、補正対象劣化危険度に基づき、表示画面全体における発光量に対する発光低減量を示す特徴量を算出する
請求項１０記載の映像信号処理装置。
【請求項１２】
前記補正部は、前記補正ゲインと各色の劣化特性と前記映像信号を用いて前記映像信号の信号レベルを色信号毎に補正する
とする請求項１記載の映像信号処理装置。
【請求項１３】
前記補正部は、前記映像信号の入力輝度に対応する色信号を各色の劣化特性に基づき算出して、前記映像信号の色信号と前記劣化特性に基づき算出した色信号を前記補正ゲインに応じて色毎に混合して、混合結果を前記補正ゲインで補正する
請求項１２記載の映像信号処理装置。
【請求項１４】
前記表示画面は三原色画素と白画素で構成されており、
前記補正部は、前記映像信号の入力輝度に対応する色信号を各色の劣化特性に基づき算出して、前記映像信号の色信号と前記劣化特性に基づき算出した色信号との差が最小となる前記映像信号の三原色信号と白色信号との混合比を求め、前記混合比に基づいて信号レベルを調整した色信号に対して、前記補正ゲインを用いて信号レベルの補正を行う
請求項１２記載の映像信号処理装置。
【請求項１５】
累積劣化危険度算出部で、映像信号に基づく各色の副画素毎の発光量と前記副画素毎の劣化特性から、表示画面を分割した領域毎の劣化危険度を算出し、算出した前記劣化危険度を累積することで累積劣化危険度を算出する工程と、
ゲイン算出部で、前記領域毎の累積劣化危険度と画素毎の輝度に基づき補正ゲインを画素毎に算出する工程と、
補正部で、前記補正ゲインを用いて前記映像信号の信号レベルを補正する工程と
を含む映像信号処理方法。
【発明の詳細な説明】
【技術分野】
【０００１】
この技術は、映像信号処理装置と映像信号処理方法に関し、発光素子の劣化による色ずれを抑制する。
【背景技術】
【０００２】
平面で薄型の表示装置として、液晶を用いた液晶表示装置等が実用化されている。液晶表示装置は、バックライトを設け、電圧の印加によって液晶分子の配列を変化させることで、バックライトからの光を通過させたり遮断したりすることで画像を表示する表示装置である。
【０００３】
また、近年においては、電圧を印加すると素子自体が発光する有機ＥＬ（エレクトロルミネッセンス）素子を用いた自発光型の表示装置が実用化されている。有機ＥＬ素子は、電界によってエネルギーを受けると、基底状態から励起状態へ変化し、励起状態から基底状態に戻るときに、差分のエネルギーを光として放出する。有機ＥＬ表示装置は、この有機ＥＬ素子が放出する光を用いて画像を表示する表示装置である。
【０００４】
自発光型表示装置は、素子が自ら発光するためバックライトが不要となり、液晶表示装置に比べて装置を薄く構成できる。また、有機ＥＬ表示装置は、液晶表示装置と比べて、動画特性、視野角特性、色再現性等が優れている。
【０００５】
しかし、有機ＥＬ素子は、電圧を印加し続けると発光特性が劣化し、同じ電流を入力しても輝度が低下する。その結果、発光頻度の高い画素は、他の画素に比べて発光特性が劣化した状態となって、いわゆる「焼き付き」現象が生じる場合がある。したがって、自発光型表示装置では、例えば特許文献１で開示されているように、電流量を制御して焼き付きを補正することが行われる。
【先行技術文献】
【特許文献】
【０００６】
【特許文献１】国際公開第２００８／１４９８４２号
【発明の概要】
【発明が解決しようとする課題】
【０００７】
しかし、特許文献１に記載の方法では、劣化度合いの大きい画素に対して劣化を抑えるための輝度制御が、この画素だけでなく全画面に対して一律に行われているが、輝度制御では画素を構成する色毎の副画素の劣化度合いを考慮していない。このため、各色の副画素の発光効率や素材の違いにより劣化特性が相違した場合、劣化特性の相違による表示画像の色ずれを補正できない。
【０００８】
そこで、本技術は、発光素子の劣化による色ずれを効果的に抑制できる映像信号処理装置と映像信号処理方法を提供することにある。
【課題を解決するための手段】
【０００９】
この技術の第１の側面は
映像信号に基づく各色の副画素毎の発光量と前記副画素毎の劣化特性から、表示画面を分割した領域毎の劣化危険度を算出し、算出した前記劣化危険度を累積することで累積劣化危険度を算出する累積劣化危険度算出部と、
前記領域毎の累積劣化危険度と画素毎の輝度に基づき補正ゲインを画素毎に算出するゲイン算出部と、
前記補正ゲインを用いて前記映像信号の信号レベルを補正する補正部と
を備える映像信号処理装置にある。
【００１０】
この技術において、累積劣化危険度算出部では、映像信号に基づく各色の副画素毎の発光量と副画素毎の劣化特性から、例えば表示画面全体を分割した領域毎の劣化危険度を算出して、算出した劣化危険度を累積することで累積劣化危険度が算出される。累積劣化危険度算出部は、例えば領域内における画素毎の副画素間の発光量差の最大値を用いて劣化危険度が算出される。この場合、ゲイン算出部では、領域毎に算出した累積劣化危険度の最大値を用いて補正ゲインが算出される。また、累積劣化危険度算出部は、例えば劣化危険度算出対象画素と隣接する画素の副画素の色毎の発光量差に基づき、領域内における副画素間の発光量差の合計の最大値を用いて領域毎に劣化危険度が算出される。また、累積劣化危険度算出部では、例えば色毎の劣化特性に応じて副画素毎の発光量の重み付けを行い、劣化が速い色の重み付けを大きくする処理、劣化危険度を累積する際に時間方向の安定化を行う処理、映像信号のフレーム単位で劣化危険度を累積する処理等が行われる。
【００１１】
また、累積劣化危険度に基づき、表示画面全体における発光量に対する発光低減量を示す特徴量を算出する特徴量算出部が設けられて、ゲイン算出部では、表示画面全体における発光量に対する発光低減量と画素毎の輝度に基づき補正ゲインが画素毎に算出される。特徴量算出部では、例えば累積劣化危険度から許容可能な劣化危険度を減算して補正対象劣化危険度を算出して、補正対象劣化危険度に基づき、表示画面全体における発光量に対する発光低減量を示す特徴量が算出される。
【００１２】
補正部では、補正ゲインと各色の劣化特性と映像信号を用いて映像信号の信号レベルが色信号毎に補正される。補正部では、例えば映像信号の入力輝度に対応する色信号を各色の劣化特性に基づき算出して、映像信号の色信号と劣化特性に基づき算出した色信号を補正ゲインに応じて色毎に混合して、この混合結果が補正ゲインで補正される。また、表示画面が三原色画素と白画素で構成されており、補正部では、例えば映像信号の入力輝度に対応する色信号を各色の劣化特性に基づき算出して、映像信号の色信号と劣化特性に基づき算出した色信号との差が最小となる映像信号の三原色信号と白色信号との混合比を求め、混合比に基づいて信号レベルを調整した色信号に対して、補正ゲインを用いて信号レベルの補正が行われる。
【００１３】
この技術の第２の側面は、
累積劣化危険度算出部で、映像信号に基づく各色の副画素毎の発光量と前記副画素毎の劣化特性から、表示画面を分割した領域毎の劣化危険度を算出し、算出した前記劣化危険度を累積することで累積劣化危険度を算出する工程と、
ゲイン算出部で、前記領域毎の累積劣化危険度と画素毎の輝度に基づき補正ゲインを画素毎に算出する工程と、
補正部で、前記補正ゲインを用いて前記映像信号の信号レベルを補正する工程と
を含む映像信号処理方法にある。
【発明の効果】
【００１４】
この技術によれば、累積劣化危険度算出部によって、映像信号に基づく各色の副画素毎の発光量と副画素毎の劣化特性から、表示画面を分割した領域毎の劣化危険度が算出されて、算出された劣化危険度を累積することで累積劣化危険度が算出される。また、ゲイン算出部によって、領域毎の累積劣化危険度と画素毎の輝度に基づき補正ゲインが画素毎に算出される。さらに、補正部によって、補正ゲインを用いて映像信号の信号レベルが補正される。このように、各色の副画素の発光量に基づく累積劣化危険度に応じて補正ゲインが算出されることから、発光素子の劣化による色ずれを効果的に抑制できる。なお、本明細書に記載された効果はあくまで例示であって限定されるものではなく、また付加的な効果があってもよい。
【図面の簡単な説明】
【００１５】
【図１】表示装置の構成を例示した図である。
【図２】第１の実施の形態の構成を例示した図である。
【図３】ブロック区分を例示した図である。
【図４】発光量と劣化危険度の関係を示した図である。
【図５】危険度更新部で行われる処理を説明するための図である。
【図６】劣化危険度とゲイン調整量の関係を示した図である。
【図７】入力輝度と補正ゲインの関係を示した図である。
【図８】入力輝度と出力輝度の関係を例示した図である。
【図９】第１の実施の形態の動作を示したフローチャートである。
【図１０】色を考慮した劣化危険度算出処理を示したフローチャートである。
【図１１】累積劣化危険度の更新処理を示したフローチャートである。
【図１２】補正ゲインの算出処理を示したフローチャートである。
【図１３】第２の実施の形態の構成を例示した図である。
【図１４】危険度算出部の動作を説明するための図である。
【図１５】危険度更新部で行われる処理を説明するための図である。
【図１６】特徴量算出部の動作を説明するための図である。
【図１７】第２の実施の形態のゲイン算出部で生成される関数を例示した図である。
【図１８】色を考慮した劣化危険度算出処理を示したフローチャートである。
【図１９】特徴量算出処理を示したフローチャートである。
【図２０】補正ゲインの算出処理を示したフローチャートである。
【図２１】第３の実施の形態の構成を例示した図である。
【図２２】補正ゲインとブレンド比の関係を例示している。
【図２３】第３の実施の形態の信号レベル補正処理を示すフローチャートである。
【図２４】色置換量の可変範囲を説明するための図である。
【図２５】第４の実施の形態の信号レベル補正処理を示すフローチャートである。
【発明を実施するための形態】
【００１６】
以下、本技術を実施するための形態について説明する。なお、説明は以下の順序で行う。
１．表示装置について
２．第１の実施の形態
３．第２の実施の形態
４．第３の実施の形態
５．第４の実施の形態
６．他の実施の形態
【００１７】
＜１．表示装置について＞
図１は表示装置の構成を例示している。表示装置１０は、制御部１１、記録部１２、信号処理部２０、過電流検出部６１、データドライバ６２、ガンマ回路６３およびパネル６５を含んで構成される。
【００１８】
信号処理部２０は、エッジぼかし部２１、Ｉ／Ｆ（インタフェース）部２２、リニア変換部２３、パターン生成部２４、色温度調整部２５、静止画検波部２６、長期色温度補正部２７、発光時間制御部２８を含んで構成される。また、信号処理部２０は、信号レベル補正部３０、記憶部４０、ムラ補正部５１、ガンマ変換部５２、ディザ処理部５３、信号出力部５４、長期色温度補正検波部５５、ゲートパルス出力部５６、およびガンマ回路制御部５７を含んで構成される。
【００１９】
表示装置１０は、映像信号の供給を受けると、その映像信号を分析して、分析した内容にしたがって、後述するパネル６５の内部に配置される画素を点灯することで、パネル６５を通じて画像を表示する。
【００２０】
制御部１１は、信号処理部２０の制御を行うものであり、Ｉ／Ｆ部２２との間で信号の授受を行う。また、制御部１１はＩ／Ｆ部２２から受け取った信号に対して各種信号処理を行う。
【００２１】
記録部１２は、制御部１１において信号処理部２０を制御するための情報を格納する。記録部１２としては、表示装置１０の電源が切れている状態でも情報が消えずに格納することができるメモリを用いることが好ましい。記録部１２として採用するメモリとして、例えば電気的に内容を書き換えることができるＥＥＰＲＯＭ（Electronically Erasable and Programmable Read Only Memory）を用いることが望ましい。ＥＥＰＲＯＭは基板に実装したままでデータの書き込みや消去を行うことができる不揮発性のメモリであり、刻一刻と変化する表示装置１０の情報を格納するために好適なメモリである。
【００２２】
信号処理部２０は、映像信号を入力し、入力された映像信号に対して信号処理を施す。信号処理部２０は、入力された映像信号に対する信号処理を、信号処理部２０の内部の各部で行う。
【００２３】
エッジぼかし部２１は、入力された映像信号に対してエッジをぼかすための信号処理を行う。具体的には、エッジぼかし部２１は、パネル６５への画像の焼き付き現象を防ぐために、画像を意図的にずらす処理を行ってエッジをぼかすことで、画像の焼き付き現象を抑える。
【００２４】
リニア変換部２３は、入力に対する出力がガンマ特性を有する映像信号を、ガンマ特性からリニア特性を有するように変換する信号処理を行う。リニア変換部２３で、入力に対する出力がリニア特性を有するように信号処理を行うことで、パネル６５で表示する画像に対する様々な処理が容易になる。
【００２５】
パターン生成部２４は、表示装置１０の内部の画像処理で使用するテストバターンを生成する。表示装置１０の内部の画像処理で使用するテストパターンとしては、例えばパネル６５の表示検査に用いるテストパターンがある。
【００２６】
色温度調整部２５は、表示装置１０のパネル６５で表示する画像の色温度を調整する。図１には図示していないが、表示装置１０には色温度を調整するための色温度調整手段を備えており、利用者が色温度調整手段を操作することで、画面に表示される画像の色温度を手動で調整することができる。
【００２７】
長期色温度補正部２７は、有機ＥＬ素子のＲ（赤）、Ｇ（緑）、Ｂ（青）各色の輝度−時間特性（ＬＴ特性）が異なることによる経年変化を補正するものである。有機ＥＬ素子には、Ｒ、Ｇ、Ｂ各色のＬＴ特性が異なるため、発光時間の経過に伴って色のバランスが崩れてくる。その色のバランスを補正するものである。
【００２８】
発光時間制御部２８は、画像をパネル６５に表示する際のパルスのデューティ比を算出して、有機ＥＬ素子の発光時間を制御するものである。表示装置１０は、パルスが発光期間を示す状態の間にパネル６５内部の有機ＥＬ素子に対して電流を流すことで、有機ＥＬ素子を発光させて画像の表示を行う。
【００２９】
信号レベル補正部３０は、発光素子の劣化による色ずれを効果的に抑制するために映像信号の信号レベルを補正して、パネル６５に表示する映像の輝度を調整する。信号レベル補正部３０は、映像信号に基づく各色の副画素毎の発光量と副画素毎の劣化特性から劣化危険度を算出し、算出した劣化危険度を累積することで累積劣化危険度を算出する。また、信号レベル補正部３０は、累積劣化危険度と画素毎の輝度に基づき補正ゲインを画素毎に算出する。さらに、信号レベル補正部３０は、補正ゲインを用いて映像信号の信号レベルを補正する。信号レベル補正部３０の構成および動作については後に詳述する。
【００３０】
長期色温度補正検波部５５は、長期色温度補正部２７で補正するための情報を検知する。長期色温度補正検波部５５で検知した情報は、Ｉ／Ｆ部２２を通じて制御部１１に送られ、制御部１１を経由して記録部１２に記録される。
【００３１】
ムラ補正部５１は、パネル６５に表示される画像や映像のムラを補正する。ムラ補正部５１において、パネル６５の横筋、縦筋および画面全体の斑を、入力信号のレベルや座標位置を基準に補正を行う。
【００３２】
ガンマ変換部５２は、リニア変換部２３でリニア特性を有するように変換した映像信号に対して、ガンマ特性を有するように変換する信号処理を行う。ガンマ変換部５２で行う信号処理は、パネル６５が有するガンマ特性をキャンセルし、信号の電流に応じてパネル６５の内部の有機ＥＬ素子が発光するようにリニア特性を有するような信号に変換する信号処理である。
【００３３】
ディザ処理部５３は、ガンマ変換部５２で、変換された信号に対してディザリングを施す。ディザリングは、使用可能な色数が少ない環境で中間色を表現するために、表示可能な色を組み合わせて表示することである。ディザ処理部５３で、ディザリングを行うことで、本来パネル上では表示できない色を、見かけ上作り出して表現することができる。
する。
【００３４】
信号出力部５４は、ディザ処理部５３で、ディザリングが施された後の信号をデータドライバ６２に対して出力する。信号出力部５４からデータドライバ６２に渡される信号はＲ、Ｇ、Ｂ各色の発光量に関する情報が含まれた信号であり、発光時間の情報が含まれた信号はゲートパルス出力部５６からパルスの形式で出力される。
【００３５】
ゲートパルス出力部５６は、パネル６５の発光時間を制御するパルスを出力する。ゲートパルス出力部５６から出力されるパルスは、発光時間制御部２８で算出したデューティ比によるパルスである。ゲートパルス出力部５６からのパルスによって、パネル６５での各画素の発光時間が決定される。
【００３６】
ガンマ回路制御部５７は、ガンマ回路６３に設定値を与える。ガンマ回路制御部５７が与える設定値は、データドライバ６２の内部に含まれるＤ／Ａ変換器のラダー抵抗に与えるための基準電圧である。
【００３７】
記憶部４０は、信号レベル補正部３０で輝度を補正する際に用いる情報が記憶される。記憶部４０は、例えば表示装置１０の動作が開始されたときに前回の動作終了時に用いられている情報や、信号レベル補正部３０の処理で用いる所定の情報を記憶する。この場合、記憶部４０は、記録部１２と同様に例えば電気的に内容を書き換えることができるＥＥＰＲＯＭ（Electronically Erasable and Programmable Read Only Memory）を用いることが望ましい。また、記憶部４０は、例えば表示装置１０の動作開始後に生成された情報のみを記憶する場合、電源が切れると内容が消去されるようなメモリ、例えばＳＤＲＡＭ（Synchronous Dynamic Random Access Memory）を用いることが望ましい。また、記憶部４０は、ＥＥＰＲＯＭとＳＤＲＡＭを用いて構成して、記憶する情報に応じてメモリを使い分けてもよい。
【００３８】
過電流検出部６１は、基板のショート等で過電流が生じた場合にその過電流を検出し、ゲートパルス出力部５６に通知する。過電流検出部６１からの過電流発生通知により、過電流が生じた場合にその過電流がパネル６５に印加されるのを防ぐことができる。
【００３９】
データドライバ６２は、信号出力部５４から受け取った信号に対して信号処理を行い、パネル６５に対して、パネル６５で画像を表示するための信号を出力する。データドライバ６２には、図示しないが、Ｄ／Ａ変換器が含まれており、Ｄ／Ａ変換器はデジタル信号をアナログ信号に変換して出力する。
【００４０】
ガンマ回路６３は、データドライバ６２の内部に含まれるＤ／Ａ変換器のラダー抵抗に基準電圧を与える。ラダー抵抗に与えるための基準電圧は、上述のようにガンマ回路制御部５７で生成される。
【００４１】
パネル６５は、データドライバ６２からの出力信号およびゲートパルス出力部５６からの出力パルスを入力し、入力した信号およびパルスに応じて、自発光素子の一例である有機ＥＬ素子を発光させて動画像や静止画像を表示する。パネル６５は、画像を表示する面の形状が平面である。有機ＥＬ素子は電圧を印加すると発光する自発光型の素子であり、その発光量は電圧に比例する。したがって、有機ＥＬ素子のＩＬ特性（電流発光量特性）も比例関係を有することとなる。
【００４２】
パネル６５には、図示せずも、走査周期で画素を選択する走査線、画素を駆動するための輝度情報を与えるデータ線、輝度情報に基づいて電流量を制御して電流量に応じて発光素子である有機ＥＬ素子を発光させる画素回路が、マトリクス状に配置されている。このように走査線、データ線および画素回路が構成されていることで、表示装置１０は映像信号にしたがって画像を表示することができる。
【００４３】
なお、表示装置１０は、リニア変換部２３で、リニア特性を有するように映像信号を変換した後、変換後の映像信号をパターン生成部２４に入力したが、パターン生成部２４とリニア変換部２３とを入れ替えた構成であってもよい。また、表示装置１０の信号処理部２０は、図１に示す構成に限らず、一部の機能ブロックが省略された構成であってもよく、新たな機能を有する機能ブロックが追加されている構成であってもよい。
【００４４】
＜２．第１の実施の形態＞
次に、本技術の第１の実施の形態について説明する。図２は、第１の実施の形態の構成を例示しており、本技術の映像信号処理装置が信号処理部に適用されている。
【００４５】
第１の実施の形態の信号処理部２０における信号レベル補正部３０は、輝度算出部３０１、発光量算出部３０２、危険度算出部３０３、危険度更新部３０４、危険度選択部３０５、ゲイン算出部３０７、乗算器３９０とを含んで構成される。また、記憶部４０は、発光素子劣化特性記憶部４０１と危険度記憶部４０２とを含んで構成される。なお、第１の実施の形態および後述する実施の形態における輝度算出部３０１乃至危険度更新部３０４は請求項の累積劣化危険度算出部に相当する。また、第１の実施の形態および後述する第２の実施の形態における乗算器３９０は補正部に相当する。
【００４６】
輝度算出部３０１は、リニア変換部２３で変換されたリニア特性を有する映像信号から輝度を算出する。輝度算出部３０１は、算出した輝度を発光量算出部３０２とゲイン算出部３０７に出力する。例えば映像信号が三原色信号（Ｒ，Ｇ，Ｂ）であり、ＩＴＵ−Ｒ  ＢＴ．６０１の規定を用いた場合には、式（１）乃至（４）に基づき輝度Ｙを算出できる。なお、Ｒ’を輝度赤、Ｇ’を輝度緑、Ｂ’を輝度青として以下の説明を行う
【００４７】
【数１】
2015219307.tif 000003
【００４８】
輝度算出部３０１は、算出した輝度Ｙをゲイン算出部３０７、輝度赤Ｒ’，輝度緑Ｇ’，輝度青Ｂ’を発光量算出部３０２にそれぞれ出力する。
【００４９】
発光量算出部３０２は、輝度算出部３０１で算出した輝度赤Ｒ’，輝度緑Ｇ’，輝度青Ｂ’と発光時間制御部２８で算出したパルスのデューティ比に基づいて、１フレームあたりのパネル６５の各画素の副画素（１画素を構成する色毎の画素）毎に発光量Ｅｒ，Ｅｇ，Ｅｂを算出する。ＯＬＥＤパネルにおける有機ＥＬ素子は、電流と発光量との間にリニアな（線形な）関係を有している。したがって、発光量算出部３０２は、輝度算出部３０１で算出した輝度赤Ｒ’に発光時間制御部２８で算出したパルスのデューティ比ＤＲを乗じて得られる（輝度×デューティ比で得られる）値を各画素における赤色の１フレームあたりの発光量Ｅｒとする。同様に、発光量算出部３０２は、輝度算出部３０１で算出した輝度緑Ｇ’，輝度青Ｂ’に発光時間制御部２８で算出したパルスのデューティ比ＤＲを乗じて得られる値を各画素における緑色と青色の１フレームあたりの発光量Ｅｇ，Ｅｂとする。発光量算出部３０２は、算出した発光量Ｅｒ，Ｅｇ，Ｅｂを危険度算出部３０３に出力する。
【００５０】
危険度算出部３０３は、発光量算出部３０２で算出した発光量と記憶部４０の発光素子劣化特性記憶部４０１に記憶されている劣化特性に基づいて、発光量に対応する発光量パラメータを算出する。発光量パラメータは、画素の劣化の危険性の度合いを示すものである。以下、危険度算出部３０３で、算出する発光量パラメータを「劣化危険度」とも称する。危険度算出部３０３は、例えばパネル６５の表示画面全体を分割した領域毎に、領域内における画素の副画素の発光量に基づいて劣化危険度を領域毎に算出する。危険度算出部３０３は、表示画面を１画素または複数画素からなるブロックに区分する。図３はブロック区分を例示した図であり、各ブロックを等しいブロックサイズとして４×８のブロックに区分した場合を示している。なお、各ブロックのサイズやブロック数は図に示す場合に限られない。危険度算出部３０３はブロック毎に、ブロックを構成する各画素について、副画素の発光量Ｅｒ，Ｅｇ，Ｅｂから劣化危険度ｄｇｒを算出する。
【００５１】
危険度算出部３０３は、画素毎に、副画素間の発光量差の絶対値を算出して最大値を選択する。すなわち、危険度算出部３０３は、画素Ｐ［x,y］の副画素の発光量がＥｒ[x,y]，Ｅｇ[x,y]，Ｅｂ[x,y]であるとき、式（５）の演算を行い、画素Ｐ［x,y］における副画素の発光量差最大値ＥＣ[x,y]を算出する。式（５）において、係数Ｗｒ，Ｗｇ，Ｗｂは色毎の劣化特性を考慮した重み付け係数であり、記憶部４０の発光素子劣化特性記憶部４０１に記憶されている劣化特性に基づいて設定される。危険度算出部３０３は、色毎の劣化特性に応じて副画素毎の発光量の重み付けを行い、劣化が速い色の重み付けを大きくする。ここで、各副画素の劣化速度が等しい場合はＷｒ＝Ｗｇ＝Ｗｂ＝１として、劣化速度が速い場合は係数値を大きくする。
【００５２】
【数２】
2015219307.tif 000004
【００５３】
次に、危険度算出部３０３は、画素Ｐ［x,y］における発光量Ｅ[x,y]を、副画素の発光量Ｅｒ[x,y]，Ｅｇ[x,y]，Ｅｂ[x,y]と発光量差最大値ＥＣ[x,y]から算出する。式（６）は、画素Ｐ［x,y］における画素の発光量Ｅ[x,y]の算出式である。式（６）において、係数ｐ_colは色間の発光量差を発光量に寄与させる程度を設定するための寄与係数である。係数ｐ_colは、予め設定されている。
【００５４】
【数３】
2015219307.tif 000005
【００５５】
さらに、危険度算出部３０３はブロック毎に、ブロックを構成する各画素について、画素の発光量Ｅから劣化危険度ｄｇｒを算出する。図４は、発光量と劣化危険度の関係を示しており、この発光量Ｅと劣化危険度ｄｇｒの関係を式で示すと式（７）となる。なお、劣化危険度上限値ｄｇｒ_maxと劣化危険度下限値ｄｇｒ_min、劣化危険度ｄｇｒ＝０のときの発光量Ｅ0、式（７）における係数Ｋd0（＞０），Ｋd1（＞０）は、パネル６５の特性に応じて予め設定されている。
【００５６】
【数４】
2015219307.tif 000006
【００５７】
危険度算出部３０３は、ブロックを構成する各画素について、発光量Ｅに基づいて算出した劣化危険度ｄｇｒからブロック内における最大値を選択して、選択した劣化危険度ｄｇｒをブロックの劣化危険度ｄｇｒ_bfとする。危険度算出部３０３は、ブロック毎に算出した劣化危険度ｄｇｒ_bfを危険度更新部３０４に出力する。
【００５８】
危険度更新部３０４は、ブロック毎に、危険度算出部３０３で算出された劣化危険度を用いて累積劣化危険度を更新する。累積劣化危険度は、例えばフレーム毎に算出された劣化危険度のブロック毎の累積値である。累積劣化危険度は、所定タイミング例えば表示装置１０の動作開始、日毎の最初の動作開始、表示装置１０の入手後の最初の動作開始等からの劣化危険度の累積値である。
【００５９】
図５は、危険度更新部で行われる処理を説明するための図である。危険度更新部３０４は、危険度算出部３０３で算出された現フレームの劣化危険度ｄｇｒ_bfを既に算出されている累積劣化危険度ｄｇｒ_bに加算して、累積劣化危険度ｄｇｒ_bを更新する。すなわち、危険度更新部３０４は、式（８）の演算を行い累積劣化危険度ｄｇｒ_bを更新する。なお、ｄｇｒ_b_maxは予め設定した最大累積劣化危険度である。また、式（８）および後述する式におけるＣＬＩＰ（）は、式（９）に示す処理である。
【００６０】
【数５】
2015219307.tif 000007
【００６１】
危険度更新部３０４は、ブロック単位で、例えば記憶部４０の危険度記憶部４０２に記憶されている累積劣化危険度ｄｇｒ_bと現フレームの劣化危険度ｄｇｒ_bfを加算する。危険度更新部３０４は、加算結果を新たな累積劣化危険度ｄｇｒ_bとする。また、危険度更新部３０４は、更新後の累積劣化危険度ｄｇｒ_bと次のフレームの劣化危険度ｄｇｒ_bfを加算して新たな累積劣化危険度ｄｇｒ_bとする。このような累積劣化危険度の更新をブロック単位で例えばフレーム毎または所定のフレーム間隔毎に行い、更新後の累積劣化危険度ｄｇｒ_bを危険度選択部３０５と危険度更新部３０４と危険度記憶部４０２に出力する。なお、危険度更新部３０４は、次の動作開始時に前回の動作終了時から継続して累積劣化危険度の更新を行うことができるように、動作終了時に危険度記憶部４０２に記憶されている累積劣化危険度の更新を行うようにしてもよい。
【００６２】
ここで、危険度算出部３０３における係数Ｋｄ0，Ｋｄ1は、累積劣化危険度の増減に影響するパラメータである。すなわち係数Ｋｄ0が大きいと、係数Ｋｄ0が小さい場合に比べて、累積劣化危険度が速く減少する。係数Ｋｄ1が小さいと、係数Ｋｄ1が大きい場合に比べて、累積劣化危険度が緩やかに増加する。したがって、係数Ｋｄ0，Ｋｄ1によって累積劣化危険度の変化を調整することが可能となる。
【００６３】
危険度選択部３０５は、全ブロックの累積劣化危険度から最大値を選択してゲイン算出部３０７に出力する。式（１０）は全ブロックの劣化危険度から最大値を選択する処理を示す式であり、「Ｎ」は表示画面全体のブロック数を示している。
【００６４】
【数６】
2015219307.tif 000008
【００６５】
ゲイン算出部３０７は、危険度選択部３０５から供給された最大累積劣化危険度ｄｇｒＭａｘ_bに応じて、式（１１）に基づきゲイン調整量ｇａｉｎＣを算出する。なお、図６は、劣化危険度とゲイン調整量の関係を示した図である。また、ゲイン最大値ｇａｉｎ_max、閾値ＴhDgr0，ＴhDgr1は、パネル６５に応じて予め設定されている。
【００６６】
【数７】
2015219307.tif 000009
【００６７】
次に、ゲイン算出部３０７は、算出したゲイン調整量ｇａｉｎＣに応じて、式（１２）に基づき補正ゲインｇａｉｎ_pを算出する。なお、図７は、入力輝度と補正ゲインの関係を示した図である。また、閾値ＴhYはパネル６５に応じて予め設定されている。
【００６８】
【数８】
2015219307.tif 000010
【００６９】
ゲイン算出部３０７は、画素ｐの輝度に応じた補正ゲインｇａｉｎ_pを乗算器３９０に出力する。また、ゲイン算出部３０７は、他の画素についても同様な処理を行い、各画素の輝度に応じた補正ゲインを乗算器３９０に出力する。
【００７０】
乗算器３９０は、映像信号にゲイン算出部３０７で算出した補正ゲインを乗算して、映像信号の信号レベルを補正して出力する。図８は、入力輝度と出力輝度の関係を例示した図である。なお、入力輝度は信号レベル補正部３０に入力された映像信号の輝度であり、出力輝度は信号レベル補正部３０から出力される映像信号の輝度である。
【００７１】
乗算器３９０は、映像信号にゲイン算出部３０７で算出した補正ゲインを乗算して、映像信号の信号レベルを補正して出力する。ここで、入力輝度に応じて算出される劣化危険度に基づき図６に示すようにゲイン調整量が設定されて、入力輝度に応じて図７に示すように補正ゲインが設定される。したがって、入力輝度と出力輝度の関係を例示した図８のように、入力輝度Ｙinが閾値ＴhYを超えると出力輝度Ｙoutは、入力輝度Ｙinのレベルに応じて入力輝度Ｙinよりも低下される。
【００７２】
図９は、第１の実施の形態の動作を示したフローチャートである。ステップＳＴ１で信号レベル補正部３０は、発光量を算出する。信号レベル補正部３０は、入力された映像信号の輝度とデューティ比を乗算することで発光量を算出してステップＳＴ２に進む。
【００７３】
ステップＳＴ２で信号レベル補正部３０は、色を考慮した劣化危険度算出処理を行う。信号レベル補正部３０は、パネル６５の表示画面全体を複数のブロックに区分して、ブロック単位で、副画素間の発光量差を考慮して画素の焼き付きの劣化危険度を算出する。図１０は、色を考慮した劣化危険度算出処理を示したフローチャートである。
【００７４】
ステップＳＴ１１で信号レベル補正部３０は画素を選択する。信号レベル補正部３０は、劣化危険度を算出する画素を選択してステップＳＴ１２に進む。
【００７５】
ステップＳＴ１２で信号レベル補正部３０は、画素が属するブロック番号を算出する。信号レベル補正部３０は、ステップＳＴ１１で選択した画素の画素位置に基づき、当該画素が属するブロックの番号を算出してステップＳＴ１３に進む。
【００７６】
ステップＳＴ１３で信号レベル補正部３０は、副画素の発光量を用いた劣化危険度の算出を行う。信号レベル補正部３０は、上述の式（５）乃至（７）の演算を行い、選択した画素の劣化危険度を副画素の発光量および発光量差に基づいて算出してステップＳＴ１４に進む。
【００７７】
ステップＳＴ１４で信号レベル補正部３０は、当該ブロックの最大劣化危険度であるか判別する。信号レベル補正部３０は、選択した画素が属するブロック番号のブロックにおいて、ステップＳＴ１３で算出した劣化危険度が最大劣化危険度であるか判別する。信号レベル補正部３０は、ステップＳＴ１３で算出した劣化危険度が最大劣化危険度である場合はステップＳＴ１５に進み、最大劣化危険度でない場合はステップＳＴ１６に進む。
【００７８】
ステップＳＴ１５で信号レベル補正部３０は、当該ブロックの最大劣化危険度を更新する。信号レベル補正部３０は、当該ブロックの最大劣化危険度をステップＳＴ１３で算出した劣化危険度で更新してステップＳＴ１６に進む。
【００７９】
ステップＳＴ１６で信号レベル補正部３０は、全画素を選択したか判別する。信号レベル補正部３０は、表示画面内の全画素の選択が完了していない場合はステップＳＴ１１に戻り、選択されていない画素から新たに画素を選択して上述の処理を行う。また、信号レベル補正部３０は、表示画面内の全画素の選択が完了した場合は劣化危険度算出処理を終了する。
【００８０】
図８に戻り、ステップＳＴ２で劣化危険度算出処理を行いステップＳＴ３に進むと、信号レベル補正部３０は、累積劣化危険度更新処理を行う。図１１は累積劣化危険度更新処理を示したフローチャートである。
【００８１】
ステップＳＴ２１で信号レベル補正部３０はブロックを選択する。信号レベル補正部３０は、累積劣化危険度を更新するブロックを選択してステップＳＴ２２に進む。
【００８２】
ステップＳＴ２２で信号レベル補正部３０は、累積劣化危険度を取得する。信号レベル補正部３０は、例えば記憶部４０の危険度記憶部４０２に記憶されている累積劣化危険度を読み出してステップＳＴ２３に進む。
【００８３】
ステップＳＴ２３で信号レベル補正部３０は、現フレームの劣化危険度を取得する。信号レベル補正部３０は、ステップＳＴ２１で選択されたブロックについて、ステップＳＴ２において現フレームで算出した劣化危険度を取得してステップＳＴ２４に進む。
【００８４】
ステップＳＴ２４で信号レベル補正部３０は、累積劣化危険度を更新する。信号レベル補正部３０は、読み出した累積劣化危険度に現フレームの劣化危険度を加算することで累積劣化危険度を更新してステップＳＴ２５に進む。
【００８５】
ステップＳＴ２５で信号レベル補正部３０は、更新後の累積劣化危険度を保存する。信号レベル補正部３０は、ステップＳＴ２４で得られた更新後の累積劣化危険度を例えば記憶部４０の危険度記憶部４０２に記憶することで、既に記憶されている累積劣化危険度を更新してステップＳＴ２６に進む。
【００８６】
ステップＳＴ２６で信号レベル補正部３０は、全ブロックを選択したか判別する。信号レベル補正部３０は、表示画面内の全ブロックの選択が完了していない場合はステップＳＴ２１に戻り、選択されていないブロックから新たにブロックを選択して上述の処理を行う。また、信号レベル補正部３０は、表示画面内の全ブロックの選択が完了した場合は累積劣化危険度の更新処理を終了する。
【００８７】
図８に戻り、ステップＳＴ３で累積劣化危険度更新処理を行いステップＳＴ４に進むと、信号レベル補正部３０は危険度選択処理を行う。信号レベル補正部３０は、ステップＳＴ３の累積劣化危険度の更新処理で得られたブロック毎の更新後の累積劣化危険度から最大の累積劣化危険度を選択してステップＳＴ５に進む。
【００８８】
ステップＳＴ５で信号レベル補正部３０は、画素毎に補正ゲインを算出する。図１２は、補正ゲインの算出処理を示したフローチャートである。ステップＳＴ３１で信号レベル補正部３０はゲイン調整量を算出する。信号レベル補正部３０は、上述した式（１１）の演算を行い、最大累積劣化危険度に応じたゲイン調整量を算出してステップＳＴ３２に進む。
【００８９】
ステップＳＴ３２で信号レベル補正部３０は、画素を選択する。信号レベル補正部３０は、補正ゲインの算出対象である画素を選択してステップＳＴ３３に進む。
【００９０】
ステップＳＴ３３で信号レベル補正部３０は、補正ゲインを算出する。信号レベル補正部３０は、ステップＳＴ３３で選択した画素の輝度に応じた補正ゲインを上述した式（１２）に基づき算出してステップＳＴ３４に進む。
【００９１】
ステップＳＴ３４で信号レベル補正部３０は、全画素を選択したか判別する。信号レベル補正部３０は、表示画面内の全画素の選択が完了していない場合はステップＳＴ３２に戻り、選択されていない画素から新たに画素を選択して補正ゲインを決定する処理を行う。また、信号レベル補正部３０は、表示画面内の全画素の選択が完了した場合は補正ゲインの算出処理を終了する。
【００９２】
図８に戻り、ステップＳＴ５で補正ゲインの算出を行いステップＳＴ６に進むと、信号レベル補正部３０は、映像信号の信号レベルを補正する。信号レベル補正部３０は、ステップＳＴ６で算出した補正ゲインで映像信号の信号レベルを画素毎に補正する。
【００９３】
このような第１の実施の形態によれば、各色の副画素毎の発光量と副画素毎の劣化特性から算出された劣化危険度が累積されて、累積された劣化危険度と画素毎の輝度に基づき補正ゲインが画素毎に算出される。このように、副画素毎の劣化度合いおよび発光量を考慮して、画素の輝度に応じた補正ゲインが算出されるので、この補正ゲインを用いて映像信号の信号レベルを補正することで、発光素子の劣化による色ずれを効果的に抑制できる。
【００９４】
また、第１の実施の形態では、画素を構成する副画素間の発光量差を用いて劣化危険度が算出されることから、画素を構成する副画素間の劣化度合いの相違に基づく色ずれを効果的に抑制できる。
【００９５】
＜３．第２の実施の形態＞
次に、本技術の第２の実施の形態について説明する。第２の実施の形態では、隣接画素間の劣化度合いの相違に基づく色ずれを効果的に抑制する場合について説明する。なお、第２の実施の形態は、図１３に示すように、第１の実施の形態の危険度選択部３０５に代えて特徴量算出部３０６を用いた構成とされている。また、第１の実施の形態の危険度算出部３０３と危険度更新部３０４およびゲイン算出部３０７は、第１の実施の形態と異なる動作を行う。
【００９６】
危険度算出部３０３は、例えばパネル６５の表示画面全体を複数のブロックに区分して、ブロック内の各画素について、隣接画素との色毎の発光量差の合計の最大値ＥＤを算出する。図１４は危険度算出部の動作を説明するための図である。ここで、画素Ｐ［x,y］に隣接する画素Ｐ[x,y-1]，Ｐ[x-1,y]，Ｐ[x+1,y]，Ｐ[x+1,y+1]のそれぞれの副画素の発光量をＥco[x,y-1]，Ｅco[x-1,y]，Ｅco[x+1,y]，Ｅco[x+1,y+1]とした場合、式（１３）に基づいて最大値ＥＤ[x,y]を算出する。また、発光量差を計算できない画面端では、該当分の発光量差をゼロとみなして計算すればよい。なお、「co」は各色（赤ｒ，緑ｇ，青ｂ）を示している。式（１３）において、係数Ｗcoは色毎の劣化特性を考慮した重き付け係数であり、記憶部４０の発光素子劣化特性記憶部４０１に記憶されている劣化特性に基づいて設定される。ここで、各副画素の劣化速度が等しい場合はＷｒ＝Ｗｇ＝Ｗｂ＝１として、劣化速度が速い場合は係数値を大きくする。
【００９７】
【数９】
2015219307.tif 000011
【００９８】
危険度算出部３０３は、ブロック内の各画素について発光量差最大値を算出する。さらに、危険度算出部３０３は、式（１４）に示す演算を行い、ブロック番号ｎのブロック内における発光量毎に発光量差最大値を用いて劣化危険度ＤＴ0［ｎ，Ｅ［xt,yt］］とする。なお、係数ｐ_colDifは、劣化危険度において隣接画素との色毎の発光量差による危険度の割合を調整するための係数であり予め設定されている。また、［xt,yt］はブロック内の全画素を示しており、１つの画素の発光量は、式（１５）に示すように、画素を構成する副画素の各発光量を加算した値とする。
【００９９】
【数１０】
2015219307.tif 000012
【０１００】
危険度算出部３０３は、ブロック毎に算出した劣化危険度を危険度更新部３０４に出力する。
【０１０１】
危険度更新部３０４は、ブロック毎に、危険度算出部３０３で算出された劣化危険度を用いて累積劣化危険度を更新する。累積劣化危険度は、例えばフレーム毎に算出された劣化危険度のブロック毎の累積値である。累積劣化危険度は、第１の実施の形態と同様に所定タイミングからの劣化危険度の累積値である。
【０１０２】
また、累積劣化危険度の更新では、累積劣化危険度の更新について時間安定化を図るため、現フレームの劣化危険度ＤＴ0［n,i］と既に算出されている累積劣化危険度ＤＴ［n,i］の割合を調整して加算する。なお、「ｉ」は発光量を示している。
【０１０３】
図１５は、危険度更新部で行われる処理を説明するための図である。係数Ｋt（０≦Ｋt＜１）は時間安定化を図るための係数であり、予め所定値にまたは所定値から変更可能に設定されている。危険度更新部３０４は、危険度算出部３０３で算出された現フレームの劣化危険度ＤＴ0［n,i］に係数（１−Ｋt）、既に算出されている累積劣化危険度ＤＴ［n,i］に係数Ｋtを乗算する。さらに、危険度更新部３０４は、係数（１−Ｋt）を乗算した劣化危険度ＤＴ0［n,i］を、係数Ｋtを乗算した累積劣化危険度ＤＴ［n,i］に加算して、既に算出されている累積劣化危険度ＤＴ［n,i］を更新する。すなわち、危険度更新部３０４は、式（１６）の演算を行い累積劣化危険度ＤＴ［n,i］を更新する。なお、式（１６）の演算はＩＩＲフィルタに相当する。なお、係数Ｋtが大きくなると累積劣化危険度のフレーム間の変化が少なくなり時間安定性が高くなる。
【０１０４】
【数１１】
2015219307.tif 000013
【０１０５】
危険度更新部３０４は、ブロック単位で、例えば記憶部４０の危険度記憶部４０２に記憶された累積劣化危険度ＤＴ［n,i］と現フレームの劣化危険度ＤＴ0［n,i］と係数Ｋtを用いて、新たな累積劣化危険度ＤＴ［n,i］を算出する。また、危険度更新部３０４は、更新後の累積劣化危険度ＤＴ［n,i］と次のフレームの劣化危険度ＤＴ0［n,i］と係数Ｋtを用いて新たな累積劣化危険度ＤＴ［n,i］を算出する。このような累積劣化危険度の更新をブロック単位で例えばフレーム毎または所定のフレーム間隔毎に行い、更新後の累積劣化危険度ＤＴ［n,i］を特徴量算出部３０６と危険度記憶部４０２に出力する。なお、危険度更新部３０４は、次の動作開始時に前回の動作終了時から継続して累積劣化危険度の更新を行うことができるように、動作終了時に危険度記憶部４０２に記憶されている累積劣化危険度の更新を行うようにしてもよい。また、累積劣化危険度の更新のフレーム間隔を長くすることで時間安定性が高くなる。
【０１０６】
特徴量算出部３０６は、ブロック毎に算出した劣化危険度を統合して、表示画面全体の劣化危険度を算出する。特徴量算出部３０６は、発光量毎に、各ブロックの劣化危険度から、発光量毎に最大値を選択して劣化危険度ＤＴＡ[i]を算出する。特徴量算出部３０６は、式（１７）に基づき劣化危険度ＤＴＡ[i]を算出する。なお式（１７）において、「Ｎ」は表示画面全体のブロック数を示している。
【０１０７】
【数１２】
2015219307.tif 000014
【０１０８】
次に、特徴量算出部３０６は、記憶部４０の発光素子劣化特性記憶部４０１に記憶されている発光素子劣化特性に基づいた最小劣化危険度を用いて、映像信号の輝度レベル補正に用いる補正対象劣化危険度ＤＴＢ[i]の算出を行う。なお、最小劣化危険度は、劣化危険度が最小劣化危険度以下であれば劣化量を許容できる範囲を示す劣化危険度である。
【０１０９】
特徴量算出部３０６は、式（１８）に基づき、劣化危険度ＤＴＡ[i]から最小劣化危険度ｄｇｒＭｉｎを減算してゼロ以上の値を補正対象劣化危険度ＤＴＢ[i]とする。なお、ｐ０は補正対象劣化危険度ＤＴＢ[i]を最適化するための係数であり、予めパネル６５の特性等に基づいて設定されている。
【０１１０】
【数１３】
2015219307.tif 000015
【０１１１】
特徴量算出部３０６は、表示画面全体についての発光量毎の劣化危険度の関係を示す特徴量を算出する。特徴量算出部３０６は、例えば算出された補正対象劣化危険度ＤＴＢ[i]の増加方向の最大傾きと減少方向の最大傾きを算出して特徴量とする。特徴量算出部３０６は、式（１９）（２０）に基づき、最大傾きＤＧmax0，ＤＧmax1を算出してゲイン算出部３０７に出力する。図１６は、特徴量算出部の動作を説明するための図である。特徴量算出部３０６は、算出された補正対象劣化危険度ＤＴＢ[i]の危険度毎に、最小発光量からの補正対象劣化危険度の傾きと、最大発光量までの補正対象劣化危険度の傾きを算出する。特徴量算出部３０６は、算出した傾きから増加方向の最大傾きＤＧmax0と減少方向の最大傾きＤＧmax1を選択して特徴量とする。
【０１１２】
【数１４】
2015219307.tif 000016
【０１１３】
ゲイン算出部３０７は、特徴量算出部３０６から供給された最大傾きＤＧmax0，ＤＧmax1（特徴量）に基づき、画素の輝度レベルに応じて補正ゲインを算出する。ゲイン算出部３０７は、最大傾きＤＧmax0に応じた劣化危険度傾きｐ_grad0を式（２１）から、また、ゲイン算出部３０７は、最大傾きＤＧmax1に応じた劣化危険度傾きｐ_grad1を式（２２）から算出する。
【０１１４】
【数１５】
2015219307.tif 000017
【０１１５】
さらに、ゲイン算出部３０７は、劣化危険度傾きｐ_grad0，ｐ_grad1を用いてトーンマッピング関数値ＴＭＡＰ０[i]を、式（２３）のように生成する。図１７は、ゲイン算出部３０７で生成される関数であり、図１７の（Ａ）はトーンマッピング関数を示している。
【０１１６】
【数１６】
2015219307.tif 000018
【０１１７】
また、ゲイン算出部３０７は、トーンマッピング関数に対して低域通過フィルタ処理を行う。すなわち、ゲイン算出部３０７は、式（２４）の演算を行い、発光量ｉの違いによる変化が穏やかとされたトーンマッピング関数を算出する。なお、図１７の（Ｂ）は、フィルタ処理後のトーンマッピング関数を示している。
【０１１８】
【数１７】
2015219307.tif 000019
【０１１９】
さらに、ゲイン算出部３０７は、発光量を輝度に逆変換して、トーンマッピング関数を輝度関数に変換する。なお、トーンマッピング関数値は上述のように劣化危険度から算出されており、劣化危険度は上述のように発光量差から算出されているので、トーンマッピング関数値も輝度値に変換される。すなわち、発光量を輝度に逆変換して、トーンマッピング関数を輝度関数に変換すると、図１７の（Ｂ）に示すトーンマッピング関数は、図１７の（Ｃ）に示す輝度関数に変換される。ゲイン算出部３０７は、輝度算出部３０１で算出された輝度Ｙ[x,y]と、この輝度Ｙ[x,y]に対する関数値ＴＭＡＰ２[Ｙ[x,y]]から式（２５）に示すように補正ゲインｇａｉｎOut[x,y]を決定して乗算器３９０に出力する。
【０１２０】
【数１８】
2015219307.tif 000020
【０１２１】
第２の実施の形態では、第１の実施の形態と同様に、図９に示すフローチャートの順に処理を行う。なお、第２の実施の形態では、ステップＳＴ２，ステップＳＴ４，ステップＳＴ５で行われる処理が第１の実施の形態と相違している。
【０１２２】
ステップＳＴ１で信号レベル補正部３０は、発光量を算出する。信号レベル補正部３０は、入力された映像信号の色毎の輝度とデューティ比を乗算することで発光量を算出してステップＳＴ２に進む。
【０１２３】
ステップＳＴ２で信号レベル補正部３０は、色を考慮した劣化危険度算出処理を行う。信号レベル補正部３０は、パネル６５の表示画面全体を複数のブロックに区分して、ブロック単位で、副画素間の発光量差を考慮して画素の焼き付きの劣化危険度を算出する。図１８は、色を考慮した劣化危険度算出処理を示したフローチャートである。
【０１２４】
ステップＳＴ４１で信号レベル補正部３０は画素を選択する。信号レベル補正部３０は、劣化危険度を算出する画素を選択してステップＳＴ４２に進む。
【０１２５】
ステップＳＴ４２で信号レベル補正部３０は、画素が属するブロック番号を算出する。信号レベル補正部３０は、ステップＳＴ４１で選択した画素の画素位置に基づき、当該画素が属するブロックの番号を算出してステップＳＴ４３に進む。
【０１２６】
ステップＳＴ４３で信号レベル補正部３０は、隣接画素との色毎の発光量差を用いた劣化危険度の算出を行う。信号レベル補正部３０は、上述の式（５）（１３）（１４）の演算を行い、選択した画素の劣化危険度を副画素の発光量および発光量差に基づいて算出してステップＳＴ４４に進む。
【０１２７】
ステップＳＴ４４で信号レベル補正部３０は、当該ブロックの最大劣化危険度であるか判別する。信号レベル補正部３０は、選択した画素が属するブロック番号のブロックにおいて、ステップＳＴ４３で算出した劣化危険度が発光量に対する最大劣化危険度であるか判別する。信号レベル補正部３０は、ステップＳＴ４３で算出した劣化危険度が最大劣化危険度である場合はステップＳＴ４５に進み、最大劣化危険度でない場合はステップＳＴ４６に進む。
【０１２８】
ステップＳＴ４５で信号レベル補正部３０は、当該ブロックの最大劣化危険度を更新する。信号レベル補正部３０は、当該ブロックの最大劣化危険度をステップＳＴ４３で算出した劣化危険度で更新してステップＳＴ４６に進む。
【０１２９】
ステップＳＴ４６で信号レベル補正部３０は、全画素を選択したか判別する。信号レベル補正部３０は、表示画面内の全画素の選択が完了していない場合はステップＳＴ４１に戻り、選択されていない画素から新たに画素を選択して上述の処理を行う。また、信号レベル補正部３０は、表示画面内の全画素の選択が完了した場合は劣化危険度算出処理を終了する。
【０１３０】
図９に戻り、ステップＳＴ２で劣化危険度の算出処理を行いステップＳＴ３に進むと、信号レベル補正部３０は、特徴量の算出処理を行う。信号レベル補正部３０は、図１１に示すフローチャートと同様に処理を行い累積劣化危険度を更新してステップＳＴ４に進む。
【０１３１】
ステップＳＴ４で信号レベル補正部３０は危険度選択処理を行う。信号レベル補正部３０は、危険度選択処理として、発光量毎に累積劣化危険度の最大値を選択して、表示画面全体についての発光量毎の劣化危険度の関係を示す特徴量を算出する。図１９は特徴量算出処理を示したフローチャートである。ステップＳＴ５１で信号レベル補正部３０は、累積劣化危険度から表示画面全体の劣化危険度を算出する。信号レベル補正部３０は、上述した式（１７）の演算を行い、全ブロックの累積劣化危険度を統合して表示画面全体の劣化危険度を算出してステップＳＴ５２に進む。
【０１３２】
ステップＳＴ５２で信号レベル補正部３０は、補正対象劣化危険度を算出する。信号レベル補正部３０は、上述した式（１８）の演算を行い、許容可能な劣化危険度からの超過分である補正対象劣化危険度を算出してステップＳＴ５３に進む。
【０１３３】
ステップＳＴ５３で信号レベル補正部３０は、補正対象劣化危険度から特徴量を算出する。信号レベル補正部３０は、上述した式（１９）（２０）の演算を行い、最大傾きＤＧmax0，ＤＧmax1を特徴量として算出する。
【０１３４】
図９に戻り、ステップＳＴ５で信号レベル補正部３０は、画素毎に補正ゲインを算出する。図２０は、補正ゲインの算出処理を示したフローチャートである。ステップＳＴ６１で信号レベル補正部３０はトーンマッピング関数を算出する。信号レベル補正部３０は、上述した式（２１）〜（２３）の演算を行い、トーンマッピング関数を算出してステップＳＴ６２に進む。
【０１３５】
ステップＳＴ６２で信号レベル補正部３０は、低域通過フィルタ処理を行う。信号レベル補正部３０は、例えば上述した式（２４）の演算を行い、トーンマッピング関数に対して低域通過フィルタ処理を行ってステップＳＴ６３に進む。
【０１３６】
ステップＳＴ６３で信号レベル補正部３０は、輝度関数に変換する。信号レベル補正部３０は、フィルタ処理後のトーンマッピング関数を輝度関数に変換してステップＳＴ６５に進む。
【０１３７】
ステップＳＴ６５で信号レベル補正部３０は、画素を選択する。信号レベル補正部３０は、補正ゲインの算出対象である画素を選択してステップＳＴ６６に進む。
【０１３８】
ステップＳＴ６６で信号レベル補正部３０は、補正ゲインを算出する。信号レベル補正部３０は、ステップＳＴ６３で得られた輝度関数に基づき、ステップＳＴ６４で選択した画素の輝度に応じた補正ゲインを算出してステップＳＴ６６に進む。
【０１３９】
ステップＳＴ６６で信号レベル補正部３０は、全画素を選択したか判別する。信号レベル補正部３０は、表示画面内の全画素の選択が完了していない場合はステップＳＴ６４に戻り、選択されていない画素から新たに画素を選択してゲインを決定する処理を行う。また、信号レベル補正部３０は、表示画面内の全画素の選択が完了した場合は補正ゲインの算出処理を終了する。
【０１４０】
図８に戻り、ステップＳＴ５で補正ゲインを算出してステップＳＴ６に進むと、信号レベル補正部３０は、映像信号の信号レベル補正を行う。信号レベル補正部３０は、ステップＳＴ６で算出した補正ゲインで映像信号の信号レベルを画素毎に補正する。
【０１４１】
このような第２の実施の形態によれば、各色の副画素毎の発光量と副画素毎の劣化特性から算出された劣化危険度が累積されて、累積された劣化危険度と画素毎の輝度に基づき補正ゲインが画素毎に算出される。このように、副画素毎の劣化度合いおよび発光量を考慮して、画素の輝度に応じた補正ゲインが算出されるので、この補正ゲインを用いて映像信号の信号レベルを補正することで、第１の実施の形態と同様に、発光素子の劣化による色ずれを効果的に抑制できる。
【０１４２】
また、第２の実施の形態では、隣接する画素との色毎の発光量差に応じて補正ゲインが設定されるので、隣接画素間の劣化度合いの相違に基づく色ずれを効果的に抑制できる。
【０１４３】
＜４．第３の実施の形態＞
次に、本技術の第３の実施の形態について説明する。第３の実施の形態では、色信号の信号レベルを個々に補正して色ずれを抑制する場合について説明する。なお、第３の実施の形態は、図２１に示すように第１の実施の形態と同様に構成されており、乗算器に変えて補正部３９５が設けられている。
【０１４４】
補正部３９５は、記憶部４０の発光素子劣化特性記憶部４０１に記憶されている劣化特性と、三原色信号を輝度信号に変換する際の変換係数を用いて、輝度に対する各色の劣化耐性比を算出する。
【０１４５】
ここで、入力信号をＲ，Ｇ，Ｂとする。入力輝度は式（２６）に基づいて算出されるとする。また、発光素子劣化特性記憶部４０１に記憶されている劣化特性に基づき、赤色副画素の劣化耐性の比（劣化速度の逆比）を「ｍＲ0」、緑色副画素の劣化耐性の比を「ｍＧ0」、青色副画素の劣化耐性の比を「ｍＢ0」とする。また、ＩＴＵ−Ｒ  ＢＴ．６０１の規定を用いた場合には、赤色に対する変換係数を「coef[R]＝０．２９９」、緑色に対する変換係数を「coef[G]＝０．５８７」、青色に対する変換係数を「coef[B]＝０．１１４」とする。
【０１４６】
【数１９】
2015219307.tif 000021
【０１４７】
補正部３９５は、色の劣化耐性の比と変換係数を用いて式（２７）に示す演算を行い、パネル６５の劣化特性に応じて入力輝度に対する劣化耐性輝度ｍＹを算出する。
【０１４８】
【数２０】
2015219307.tif 000022
【０１４９】
また、補正部３９５は、色の劣化耐性の比ｍＲ0，ｍＧ0，ｍＢ0と入力輝度Ｙと劣化耐性輝度ｍＹを用いて、入力輝度に対して劣化特性を考慮した理想的な色信号ｍＲ，ｍＧ，ｍＢを式（２８）〜（３０）に基づいて算出する。
【０１５０】
【数２１】
2015219307.tif 000023
【０１５１】
さらに、補正部３９５は、式（３１）乃至（３４）の演算を行い、入力信号Ｒ，Ｇ，Ｂと理想的な色信号ｍＲ，ｍＧ，ｍＢを補正ゲインｇａｉｎOutに応じて混合する。補正部３９５は、混合結果に補正ゲインｇａｉｎOutを乗算することで、色信号毎に信号レベルが補正された信号Ｒ’，Ｇ’，Ｂ’を生成する。なお、式（３４）において、閾値ＴｈＧはパネル６５の特性等に応じて予め設定される。図２２は補正ゲインｇａｉｎ_Outとブレンド比ｐ_blendとの関係を例示しており、補正ゲインが「１」すなわち映像信号の信号レベルを補正する必要がない場合は入力信号Ｒ，Ｇ，Ｂを出力させる。また、補正ゲインが小さく映像信号の信号レベルを低下させて発光量を少なくする場合は、補正ゲインが小さくなるに伴い理想的な色信号を出力するように信号レベルの制御が行われる。
【０１５２】
【数２２】
2015219307.tif 000024
【０１５３】
第３の実施の形態では、第１の実施の形態や第２の実施の形態と同様に、図９に示すフローチャートの順に処理を行う。なお、第３の実施の形態では、ステップＳＴ６の処理が第１の実施の形態と相違している。
【０１５４】
ステップＳＴ１で信号レベル補正部３０は発光量を算出してステップＳＴ２に進む。ステップＳＴ２で信号レベル補正部３０は、色を考慮した劣化危険度算出処理を行いステップＳＴ３に進む。ステップＳＴ３で信号レベル補正部３０は、累積劣化危険度の更新処理を行いステップＳＴ４に進む。ステップＳＴ４で信号レベル補正部３０は、危険度選択処理を行いステップＳＴ５に進む。ステップＳＴ５で信号レベル補正部３０は、補正ゲインの算出を行いステップＳＴ６に進む。ステップＳＴ６で信号レベル補正部３０は、映像信号の信号レベル補正を行う。
【０１５５】
図２３は信号レベル補正処理を示すフローチャートである。ステップＳＴ７１で信号レベル補正部３０は、色毎に劣化耐性比を取得する。信号レベル補正部３０は、発光素子の劣化特性に基づき、例えば劣化速度の逆比である劣化耐性比を色毎に取得してステップＳＴ７２に進む。
【０１５６】
ステップＳＴ７２で信号レベル補正部３０は、理想的な色信号を算出する。信号レベル補正部３０は、上述した式（２８）乃至（３０）の演算を行い、理想的な色信号を算出してステップＳＴ７３に進む。
【０１５７】
ステップＳＴ７３で信号レベル補正部３０は、入力信号と理想的な色信号のブレンド比を決定する。信号レベル補正部３０は、上述した式（３４）の演算を行いブレンド比を決定してステップＳＴ７４に進む。
【０１５８】
ステップＳＴ７４で信号レベル補正部３０は、補正演算処理を行う。信号レベル補正部３０は、入力信号と理想的な色信号およびブレンド比と補正ゲインを用いて、上述した式（３１）乃至（３３）の演算を行い、入力された映像信号の信号レベルを補正して出力する。
【０１５９】
このような第３の実施の形態によれば、各色の副画素毎の発光量と副画素毎の劣化特性から算出された劣化危険度が累積されて、累積された劣化危険度と画素毎の輝度に基づき補正ゲインが画素毎に算出される。このように、副画素毎の劣化度合いおよび発光量を考慮して、画素の輝度に応じた補正ゲインが算出されるので、この補正ゲインを用いて映像信号の信号レベルを補正することで、第１の実施の形態と同様に、発光素子の劣化による色ずれを効果的に抑制できる。また、第３の実施の形態では、色信号毎に信号レベルを補正して、発光素子の劣化による色ずれを抑制できる。
【０１６０】
＜５．第４の実施の形態＞
次に、本技術の第４の実施の形態について説明する。第４の実施の形態では、パネル６５の副画素に白色副画素が設けられており、三原色（赤，緑，青）の副画素の発光を白色副画素の発光に置き換えることで色ずれを効果的に抑制する場合について説明する。なお、第４の実施の形態は、第３の実施の形態と同様に構成して、補正部３９５で第３の実施の形態と異なる動作を行う。
【０１６１】
補正部３９５は、記憶部４０の発光素子劣化特性記憶部４０１に記憶されている劣化特性と、三原色信号を輝度信号に変換する際の変換係数を用いて、輝度に対する各色の劣化耐性比を算出する。
【０１６２】
ここで、入力信号をＲ，Ｇ，Ｂ，Ｗとする。なお、入力信号はＲ，Ｇ，Ｂ，Ｗに限らずＲ，Ｇ，Ｂでもよい（この場合はＷ＝０に相当する）。入力輝度は式（３５）に基づいて算出されるとする。また、発光素子劣化特性記憶部４０１に記憶された劣化特性に基づき、赤色副画素の劣化耐性の比（劣化速度の逆比）を「ｍＲ0」、緑色副画素の劣化耐性の比を「ｍＧ0」、青色副画素の劣化耐性の比を「ｍＢ0」，白色副画素の劣化耐性の比を「ｍＷ0」とする。また、ＩＴＵ−Ｒ  ＢＴ．６０１の規定を用いた場合には、赤色に対する変換係数を「coef[R]＝０．２９９」、緑色に対する変換係数を「coef[G]＝０．５８７」、青色に対する変換係数を「coef[B]＝０．１１４」とする。なお、理解を容易とするため、同一輝度の赤副画素と緑副画素と青副画素の発光の和は、同一輝度の白色副画素の発光と等価とする。
【０１６３】
【数２３】
2015219307.tif 000025
【０１６４】
補正部３９５は、色の劣化耐性の比と変換係数を用いて式（３６）に示す演算を行い、パネル６５の劣化特性に応じて入力輝度に対する劣化耐性輝度ｍＹを算出する。
【０１６５】
【数２４】
2015219307.tif 000026
【０１６６】
補正部３９５は、色の劣化耐性の比ｍＲ0，ｍＧ0，ｍＢ0と入力輝度Ｙと劣化耐性輝度ｍＹを用いて、入力輝度に対して劣化特性を考慮した理想的な色信号ｍＲ，ｍＧ，ｍＢを上述の式（２８）乃至（３０）に基づいて算出する。また、補正部３９５は、式（３７）に基づいて、理想的な白色の信号ｍＷを算出する。
【０１６７】
【数２５】
2015219307.tif 000027
【０１６８】
また、補正部３９５は、式（３８）乃至（４２）の演算を行い、評価値Ｓｃｏｒｅが最小となる色置換量を算出する。色置換量ｐ_Ｃは、三原色（赤，緑，青）の発光を白色の発光に置き換える量を示しており、補正部３９５は、三原色からそれぞれ色置換量ｐ_Ｃを減算して、白色に同一の色置換量ｐ_Ｃを加算することで、三原色と白色の発光量のバランス（混合比）を変化させる。また、評価値Ｓｃｏｒｅは、入力信号と理想的な信号との誤差量（絶対値）を色毎に算出して加算した値である。
【０１６９】
図２４は、色置換量ｐ_Ｃを説明するための図であり、図２４の（Ａ）は入力信号を例示している。図２４の（Ｂ）は白色の発光のすべてを三原色（赤，緑，青）の発光に置き換えた色置換量「ｐ_Ｃ＝−Ｗ」の場合を示している。また、図２４の（Ｃ）は三原色（赤，緑，青）の発光から白色の発光への置き換えを最大とした色置換量「ｐ_Ｃ＝Ｍｉｎ（Ｒ，Ｇ，Ｂ）」の場合を示している。なお、図２４では青色の発光が最小とされている。このように、色置換量ｐ_Ｃは、三原色（赤，緑，青）の発光を白色の発光に置き換える量を示しており、「−Ｗ」から「Ｍｉｎ（Ｒ，Ｇ，Ｂ）」の範囲で変更可能とされている。また、色置換量ｐ_Ｃは、「−Ｗ」に近づくに伴い三原色の発光が多くなり、「Ｍｉｎ（Ｒ，Ｇ，Ｂ）」に近づくに伴い白色の発光が多くなる。すなわち、色置換量ｐ_Ｃは、「−Ｗ」に近づくに伴い白色信号の割合を少なくして、「Ｍｉｎ（Ｒ，Ｇ，Ｂ）」に近づくに伴い三原色信号の割合を少なくすることから、色置換量ｐ_Ｃは、三原色信号と白色信号の混合比に相当する。
【０１７０】
補正部３９５は、色置換量ｐ_Ｃを「−Ｗ」から「Ｍｉｎ（Ｒ，Ｇ，Ｂ）」の範囲で変化させて、評価値Ｓｃｏｒｅが最小となる色置換量ｐ_Ｃ’を算出する。すなわち、補正部３９５は、入力信号と理想的な信号との誤差が最小となる色置換量ｐ_Ｃ’を算出することで、三原色と白色の発光が最適となる三原色信号と白色信号の混合比を算出する。
【０１７１】
【数２６】
2015219307.tif 000028
【０１７２】
さらに、補正部３９５は、入力信号Ｒ，Ｇ，Ｂ，Ｗと最適な色置換量ｐ_Ｃ’と補正ゲインｇａｉｎ_Outを用いて式（４３）乃至（４６）の演算を行い、色信号毎に信号レベルが補正された信号Ｒ’，Ｇ’，Ｂ’，Ｗ’を生成する。すなわち、補正部３９５は、補正後の映像信号を生成する。なお、パネルの発光特性によっては、赤副画素と緑副画素と青副画素の発光の和と白色副画素の発光を等価関係とするとき、赤副画素と緑副画素と青副画素の輝度が互いに同一輝度とならない場合や白色副画素と同一輝度にならない場合がある。このような場合、パネルの発光特性に基づき、三原色の副画素の発光の和と白色副画素の発光との関係が明らかとする。さらに、明らかとなった関係に基づき、三原色の副画素の発光の和と白色副画素の発光が等価関係を満たした状態で、三原色の副画素の発光の和と白色副画素の発光との最適な色置換量を上述のように算出すればよい。
【０１７３】
【数２７】
2015219307.tif 000029
【０１７４】
第４の実施の形態では第１の実施の形態乃至第３の実施の形態と同様に、図９に示すフローチャートの順に処理を行う。なお、第４の実施の形態では、ステップＳＴ６の処理が第３の実施の形態と相違している。
【０１７５】
ステップＳＴ１で信号レベル補正部３０は発光量を算出してステップＳＴ２に進む。ステップＳＴ２で信号レベル補正部３０は、色を考慮した劣化危険度算出処理を行いステップＳＴ３に進む。ステップＳＴ３で信号レベル補正部３０は、累積劣化危険度の更新処理を行いステップＳＴ４に進む。ステップＳＴ４で信号レベル補正部３０は、危険度選択処理を行いステップＳＴ５に進む。ステップＳＴ５で信号レベル補正部３０は、補正ゲインを算出してステップＳＴ６に進む。ステップＳＴ６で信号レベル補正部３０は、映像信号の信号レベル補正を行う。
【０１７６】
図２５は信号レベル補正処理を示すフローチャートである。ステップＳＴ８１で信号レベル補正部３０は、色毎に劣化耐性比を取得する。信号レベル補正部３０は、発光素子の劣化特性に基づき、例えば劣化速度の逆比である劣化耐性比を色毎に取得してステップＳＴ８２に進む。
【０１７７】
ステップＳＴ８２で信号レベル補正部３０は、理想的な色信号を算出する。信号レベル補正部３０は、上述した式（２８）乃至（３０）（３７）の演算を行い、理想的な色信号を算出してステップＳＴ８３に進む。
【０１７８】
ステップＳＴ８３で信号レベル補正部３０は、入力信号と理想的な色信号が最も近づく色置換量を算出する。信号レベル補正部３０は、上述した式（３８）乃至（４２）の演算を行い、色置換量を算出してステップＳＴ８４に進む。
【０１７９】
ステップＳＴ８４で信号レベル補正部３０は、補正演算処理を行う。信号レベル補正部３０は、入力信号と理想的な色信号および色置換量と補正ゲインを用いて、上述した式（４３）乃至（４６）の演算を行い、入力された映像信号の信号レベルを補正して出力する。
【０１８０】
このような第４の実施の形態によれば、各色の副画素毎の発光量と副画素毎の劣化特性から算出された劣化危険度が累積されて、累積された劣化危険度と画素毎の輝度に基づき補正ゲインが画素毎に算出される。このように、副画素毎の劣化度合いおよび発光量を考慮して、画素の輝度に応じた補正ゲインが算出されるので、この補正ゲインを用いて映像信号の信号レベルを補正することで、第１の実施の形態と同様に、発光素子の劣化による色ずれを効果的に抑制できる。また、第４の実施の形態では、色信号の信号レベルを色毎に補正して、発光素子の劣化による色ずれを抑制できる。さらに、第３の実施の形態では、発光素子の劣化による色ずれを抑制する場合、三原色信号の信号レベルを色毎に補正することからゲインバランスを考慮しないと表示画像における画質（色）が変化するおそれがある。しかし、第４の実施の形態では、三原色の副画素の発光の和と白色副画素の発光が等化関係を満たした状態で、三原色の副画素の発光の和と白色副画素の発光との色置換が行われる。したがって、発光素子の劣化による色ずれを抑制したときに、表示画像における画質（色）が殆ど変化しないようにできる。
【０１８１】
＜６．他の実施の形態＞
上述の実施の形態は、独立して行われる場合に限らず、組み合わせて行うようにしてもよい。例えば第１の実施の形態に第３または第４の実施の形態を組み合わせて行うようにしてもよい。また、第２の実施の形態に第３または第４の実施の形態を組み合わせて行うようにしてもよい。このように、複数の実施の形態を組み合わせて行うようにすれば、組合せ前に比べて、発光素子の劣化による色ずれをさらに効果的に抑制することが可能となる。
【０１８２】
明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。
【０１８３】
例えば、プログラムは記録媒体としてのハードディスクやＳＳＤ（Solid State Drive）、ＲＯＭ（Read Only Memory）に予め記録しておくことができる。あるいは、プログラムはフレキシブルディスク、ＣＤ−ＲＯＭ（Compact Disc Read Only Memory），ＭＯ（Magneto optical）ディスク，ＤＶＤ（Digital Versatile Disc）、ＢＤ（Blu-Ray Disc（登録商標））、磁気ディスク、半導体メモリカード等のリムーバブル記録媒体に、一時的または永続的に格納（記録）しておくことができる。このようなリムーバブル記録媒体は、いわゆるパッケージソフトウェアとして提供することができる。
【０１８４】
また、プログラムは、リムーバブル記録媒体からコンピュータにインストールする他、ダウンロードサイトからＬＡＮ（Local Area Network）やインターネット等のネットワークを介して、コンピュータに無線または有線で転送してもよい。コンピュータでは、そのようにして転送されてくるプログラムを受信し、内蔵するハードディスク等の記録媒体にインストールすることができる。
【０１８５】
なお、本明細書に記載された効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【０１８６】
また、本技術の映像信号処理装置は以下のような構成も取ることができる。
（１）  映像信号に基づく各色の副画素毎の発光量と前記副画素毎の劣化特性から、表示画面を分割した領域毎の劣化危険度を算出し、算出した前記劣化危険度を累積することで累積劣化危険度を算出する累積劣化危険度算出部と、
前記領域毎の累積劣化危険度と画素毎の輝度に基づき補正ゲインを画素毎に算出するゲイン算出部と、
前記補正ゲインを用いて前記映像信号の信号レベルを補正する補正部と
を備える映像信号処理装置。
（２）  前記累積劣化危険度算出部は、画素毎の副画素間の発光量差に基づいて前記劣化危険度を算出する（１）に記載の映像信号処理装置。
（３）  前記累積劣化危険度算出部は、前記領域内における副画素間の発光量差の最大値を用いて前記領域毎に前記劣化危険度を算出する（２）に記載の映像信号処理装置。
（４）  前記ゲイン算出部は、前記領域毎に算出した累積劣化危険度の最大値を用いて前記補正ゲインを算出する（３）に記載の映像信号処理装置。
（５）  前記累積劣化危険度算出部は、劣化危険度算出対象画素と隣接する画素の副画素の色毎の発光量差に基づいて前記劣化危険度を算出する（１）に記載の映像信号処理装置。
（６）  前記累積劣化危険度算出部は、前記領域内における副画素間の発光量差の合計の最大値を用いて前記領域毎に前記劣化危険度を算出する（５）に記載の映像信号処理装置。
（７）  前記累積劣化危険度算出部は、色毎の劣化特性に応じて前記副画素毎の発光量の重み付けを行い、劣化が速い色の重み付けを大きくする（１）乃至（６）のいずれかに記載の映像信号処理装置。
（８）  前記累積劣化危険度算出部は、劣化危険度を累積する際に時間方向の安定化を行う（１）乃至（７）のいずれかに記載の映像信号処理装置。
（９）  前記累積劣化危険度算出部は、前記映像信号のフレーム単位で前記劣化危険度を累積する（１）乃至（８）のいずれかに記載の映像信号処理装置。
（１０）  前記累積劣化危険度に基づき、表示画面全体における発光量に対する発光低減量を示す特徴量を算出する特徴量算出部をさらに備え、
前記ゲイン算出部は、前記表示画面全体における発光量に対する発光低減量と画素毎の輝度に基づき補正ゲインを画素毎に算出する（１）乃至（９）のいずれかに記載の映像信号処理装置。
（１１）  前記特徴量算出部は、前記累積劣化危険度から許容可能な劣化危険度を減算して補正対象劣化危険度を算出して、補正対象劣化危険度に基づき、表示画面全体における発光量に対する発光低減量を示す特徴量を算出する（１０）に記載の映像信号処理装置。
（１２）  前記補正部は、前記補正ゲインと各色の劣化特性と前記映像信号を用いて前記映像信号の信号レベルを色信号毎に補正する（１）乃至（１１）のいずれかに記載の映像信号処理装置。
（１３）  前記補正部は、前記映像信号の入力輝度に対応する色信号を各色の劣化特性に基づき算出して、前記映像信号の色信号と前記劣化特性に基づき算出した色信号を前記補正ゲインに応じて色毎に混合して、混合結果を前記補正ゲインで補正する（１２）に記載の映像信号処理装置。
（１４）  前記表示画面は三原色画素と白画素で構成されており、
前記補正部は、前記映像信号の入力輝度に対応する色信号を各色の劣化特性に基づき算出して、前記映像信号の色信号と前記劣化特性に基づき算出した色信号との差が最小となる前記映像信号の三原色信号と白色信号との混合比を求め、前記混合比に基づいて信号レベルを調整した色信号に対して、前記補正ゲインを用いて信号レベルの補正を行う（１２）に記載の映像信号処理装置。
【産業上の利用可能性】
【０１８７】
この技術の映像信号処理装置と映像信号処理方法では、累積劣化危険度算出部で、映像信号に基づく各色の副画素毎の発光量と副画素毎の劣化特性から、表示画面を分割した領域毎の劣化危険度が算出されて、算出された劣化危険度を累積することで累積劣化危険度が算出される。また、ゲイン算出部で、領域毎の累積劣化危険度と画素毎の輝度に基づき補正ゲインが画素毎に算出される。さらに、補正部で、補正ゲインを用いて映像信号の信号レベルが補正される。このように、各色の副画素の発光量に基づく累積劣化危険度に応じて補正ゲインが算出されることから、発光素子の劣化による色ずれを効果的に抑制できる。したがって、自発光素子である有機ＥＬ素子等を用いた携帯通信端末や情報処理装置、映像表示装置等に適している。
【符号の説明】
【０１８８】
１０・・・表示装置
２０・・・信号処理部
３０・・・信号レベル補正部
４０・・・記憶部
６５・・・パネル
３０１・・・輝度算出部
３０２・・・発光量算出部
３０３・・・危険度算出部
３０４・・・危険度更新部
３０５・・・危険度選択部
３０６・・・特徴量算出部
３０７・・・ゲイン算出部
３９０・・・乗算器
３９５・・・補正部
４０１・・・発光素子劣化特性記憶部
４０２・・・危険度記憶部
【図１】
2015219307.tif 000030
【図２】
2015219307.tif 000031
【図３】
2015219307.tif 000032
【図４】
2015219307.tif 000033
【図５】
2015219307.tif 000034
【図６】
2015219307.tif 000035
【図７】
2015219307.tif 000036
【図８】
2015219307.tif 000037
【図９】
2015219307.tif 000038
【図１０】
2015219307.tif 000039
【図１１】
2015219307.tif 000040
【図１２】
2015219307.tif 000041
【図１３】
2015219307.tif 000042
【図１４】
2015219307.tif 000043
【図１５】
2015219307.tif 000044
【図１６】
2015219307.tif 000045
【図１７】
2015219307.tif 000046
【図１８】
2015219307.tif 000047
【図１９】
2015219307.tif 000048
【図２０】
2015219307.tif 000049
【図２１】
2015219307.tif 000050
【図２２】
2015219307.tif 000051
【図２３】
2015219307.tif 000052
【図２４】
2015219307.tif 000053
【図２５】
2015219307.tif 000054